(57)【要約】【課題】  ケース本体および裏蓋を金属で形成しても、内部に収容されるアンテナの受信感度を低下させることのない機器ケース、腕時計ケースおよび電波時計を提供する。【解決手段】  内部にアンテナ９が収容される金属製のケース本体３の内周面にリング部材７を螺合させることにより、金属製の裏蓋６を金属製のケース本体３に押し付けて固定する際に、ケース本体３と裏蓋６との間にスペーサ部材８を設けてケース本体３と裏蓋６との間の絶縁を図った。従って、ケース本体３内のアンテナ９が電波を受信して磁界を発生するときに、アンテナ９で発生した磁界がケース本体３と裏蓋６とを通過することによって発生する渦電流、つまりケース本体３と裏蓋６とを還流する渦電流を抑制することができる。これにより、ケース本体３および裏蓋６を金属で形成しても、内部に収容されるアンテナ９の受信感度の低下を防ぐことができる。【選択図】        図１
2008032446.tif 000002
【特許請求の範囲】
【請求項１】
内部にアンテナが収容される金属製のケース本体と、
このケース本体の裏側に取り付けられる金属製の裏蓋と、
前記ケース本体の内周面に螺合して前記裏蓋を前記ケース本体に押え付けて固定するリング部材と、
前記ケース本体と前記裏蓋との間に介在されてその間の絶縁もしくは電気抵抗を大きくするためのスペーサ部材と
を備えたことを特徴とする機器ケース。
【請求項２】
前記スペーサ部材は前記裏蓋の外周に沿って連続して設けられていることを特徴とする請求項１に記載の機器ケース。
【請求項３】
前記スペーサ部材は前記ケース本体と前記裏蓋との間を防水するための防水パッキンであることを特徴とする請求項２に記載の機器ケース。
【請求項４】
前記スペーサ部材は前記裏蓋の外周に沿って部分的に設けられていることを特徴とする請求項１に記載の機器ケース。
【請求項５】
前記リング部材は非金属で形成されていることを特徴とする請求項１〜４のいずれかに記載の機器ケース。
【請求項６】
前記裏蓋と前記リング部材との間には絶縁性の補助スペーサ部材が設けられていることを特徴とする請求項１〜４のいずれかに記載の機器ケース。
【請求項７】
前記スペーサ部材は、前記ケース本体と前記裏蓋との間、および前記裏蓋と前記リング部材との間の両方に跨って設けられていることを特徴とする請求項１〜４のいずれかに記載の機器ケース。
【請求項８】
前記裏蓋の外周部には鍔部が設けられ、前記リング部材には前記鍔部が挿入する段差凹部が設けられていることを特徴とする請求項１〜７のいずれかに記載の機器ケース。
【請求項９】
内部に標準時刻電波を受信するアンテナ、およびこのアンテナで受信した標準時刻電波に基づいて時刻修正をする時計モジュールが収容される金属製のケース本体と、
このケース本体の裏面側に取り付けられる金属製の裏蓋と、
前記ケース本体の内周面に螺合して前記裏蓋を前記ケース本体に押え付けて固定するリング部材と、
前記ケース本体と前記裏蓋との間に介在されてその間の絶縁もしくは電気抵抗を大きくするためのスペーサ部材と
を備えたことを特徴とする腕時計ケース。
【請求項１０】
前記裏蓋と前記リング部材との間には絶縁性の補助スペーサ部材が設けられていることを特徴とする請求項９に記載の腕時計ケース。
【請求項１１】
金属製のケース本体の内周面に螺合するリング部材によって金属製の裏蓋を前記ケース本体に押え付けて固定する際に、前記ケース本体と前記裏蓋との間にその間の絶縁もしくは電気抵抗を大きくするためのスペーサ部材を設けた時計ケースと、
この時計ケースの内部に収容された標準時刻電波を受信するためのアンテナと、
前記時計ケースの内部に収容され、前記アンテナで受信した標準時刻電波に基づいて時刻を修正する時計モジュールと
を備えたことを特徴とする電波時計。
【請求項１２】
前記裏蓋と前記リング部材との間には絶縁性の補助スペーサ部材が設けられていることを特徴とする請求項１１に記載の電波時計。
【発明の詳細な説明】
【技術分野】
【０００１】
この発明は、機器ケース、腕時計ケースおよび電波時計に関する。
【背景技術】
【０００２】
例えば、時計においては、標準時刻電波を受信するアンテナを備え、このアンテナで受信した標準時刻電波に基づいて時刻を修正する電波時計が知られている。
このような電波時計では、アンテナの近傍に金属部材があると、このアンテナで発生した磁界が金属部材を通過することで、金属部材に渦電流が流れ、これによりアンテナの受信感度が低下するという問題がある。このため、腕時計型の電波時計では、ケース本体である腕時計ケース内にアンテナを収容した場合、腕時計ケースおよびその裏側に取り付けられる裏蓋が金属製であると、上述した理由により十分な受信感度が得られない。
【０００３】
そこで、従来の電波時計においては、特許文献１に記載されているように、腕時計ケースおよび裏蓋のうち、少なくとも裏蓋を合成樹脂などの非金属で形成することで、腕時計ケース内に収容されたアンテナの受信感度の低下を防いでいる。
【特許文献１】特開２００１−３３５７１号
【発明の開示】
【発明が解決しようとする課題】
【０００４】
しかしながら、このような従来の電波時計では、裏蓋を合成樹脂などの非金属で形成しているため、腕時計ケースおよび裏蓋の双方を金属で形成した場合と比較して、外観や質感、重量感が低下し、高級感に劣るという問題がある。
【０００５】
この発明が解決しようとする課題は、ケース本体および裏蓋を金属で形成しても、内部に収容されるアンテナの受信感度を低下させることのない機器ケース、腕時計ケースおよび電波時計を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１１に示すように、内部にアンテナ（９）が収容される金属製のケース本体（３）と、このケース本体の裏側に取り付けられる金属製の裏蓋（６）と、前記ケース本体の内周面に螺合して前記裏蓋を前記ケース本体に押え付けて固定するリング部材（７、２１、３１）と、前記ケース本体と前記裏蓋との間に介在されてその間の絶縁もしくは電気抵抗を大きくするためのスペーサ部材（８、４１、５１、６１）とを備えたことを特徴とする機器ケースである。
【０００８】
請求項２に記載の発明は、図１〜図１０に示すように、前記スペーサ部材（７、２１、３１）が前記裏蓋（６）の外周に沿って連続して設けられていることを特徴とする請求項１に記載の機器ケースである。
【０００９】
請求項３に記載の発明は、図４、図６、図７に示すように、前記スペーサ部材（７、２１）が前記ケース本体（３）と前記裏蓋（６）との間を防水するための防水パッキン（５、２４）であることを特徴とする請求項２に記載の機器ケースである。
【００１０】
請求項４に記載の発明は、図１１に示すように、前記スペーサ部材（６１）が前記裏蓋（６）の外周に沿って部分的に設けられていることを特徴とする請求項１に記載の機器ケースである。
【００１１】
請求項５に記載の発明は、図１〜図４に示すように、前記リング部材（７）が非金属で形成されていることを特徴とする請求項１〜４のいずれかに記載の機器ケースである。
【００１２】
請求項６に記載の発明は、図５〜図８に示すように、前記裏蓋（６）と前記リング部材（２１、３１）との間に、絶縁性の補助スペーサ部材（２２）が設けられていることを特徴とする請求項１〜４のいずれかに記載の機器ケースである。
【００１３】
請求項７に記載の発明は、図９〜図１１に示すように、前記スペーサ部材（４１、５１、６１）が、前記ケース本体（３）と前記裏蓋（６）との間、および前記裏蓋と前記リング部材（２１）との間の両方に跨って設けられていることを特徴とする請求項１〜４のいずれかに記載の機器ケースである。
【００１４】
請求項８に記載の発明は、図８に示すように、前記裏蓋（６）の外周部に鍔部（１４）が設けられ、前記リング部材（３１）に前記鍔部が挿入する段差凹部（３２）が設けられていることを特徴とする請求項１〜７のいずれかに記載の機器ケースである。
【００１５】
請求項９に記載の発明は、図１〜図１１に示すように、内部に標準時刻電波を受信するアンテナ（９）、およびこのアンテナで受信した標準時刻電波に基づいて時刻修正をする時計モジュール（２）が収容される金属製のケース本体（３）と、このケース本体の裏面側に取り付けられる金属製の裏蓋（６）と、前記ケース本体の内周面に螺合して前記裏蓋を前記ケース本体に押え付けて固定するリング部材（７、２１、３１）と、前記ケース本体と前記裏蓋との間に介在されてその間の絶縁もしくは電気抵抗を大きくするためのスペーサ部材（８、４１、５１、６１）とを備えたことを特徴とする腕時計ケースである。
【００１６】
請求項１０に記載の発明は、図５〜図８に示すように、前記裏蓋（６）と前記リング部材（２１、３１）との間に、絶縁性の補助スペーサ部材（２２）が設けられていることを特徴とする請求項９に記載の腕時計ケースである。
【００１７】
請求項１１に記載の発明は、図１〜図１１に示すように、金属製のケース本体（３）の内周面に螺合するリング部材（７、２１、３１）によって金属製の裏蓋を前記ケース本体に押え付けて固定する際に、前記ケース本体と前記裏蓋との間にその間の絶縁もしくは電気抵抗を大きくするためのスペーサ部材（８、４１、５１、６１）を設けた時計ケース（腕時計ケース１、２０、３０、４０、４０、５０、６０）と、この時計ケースの内部に収容された標準時刻電波を受信するためのアンテナ（９）と、前記時計ケースの内部に収容され、前記アンテナで受信した標準時刻電波に基づいて時刻を修正する時計モジュール（２）とを備えたことを特徴とする電波時計である。
【００１８】
請求項１２に記載の発明は、図５〜図８に示すように、前記裏蓋（６）と前記リング部材（２１、３１）との間に、絶縁性の補助スペーサ部材（２２）が設けられていることを特徴とする請求項１０に記載の電波時計である。
【発明の効果】
【００１９】
請求項１に記載の発明によれば、内部にアンテナが収容される金属製のケース本体の内周面にリング部材を螺合させることにより、金属製の裏蓋を金属製のケース本体の裏側に押え付けて固定する際に、ケース本体と裏蓋との間にスペーサ部材を設けてケース本体と裏蓋との間の絶縁もしくは電気抵抗を大きくしているので、ケース本体内のアンテナが電波を受信して磁界を発生するときに、アンテナで発生した磁界がケース本体および裏蓋を通過することによって発生する渦電流、つまりケース本体と裏蓋とを還流する渦電流を抑制することができ、これによりケース本体および裏蓋を金属で形成しても、内部に収容されるアンテナの受信感度の低下を防ぐことができる。
【００２０】
請求項２に記載の発明によれば、スペーサ部材が裏蓋の外周に沿って連続して設けられていることにより、ケース本体と裏蓋とが相互に接触するのを確実に防ぐことができ、これによりケース本体と裏蓋との間の絶縁もしくは電気抵抗を大きくすることができるので、より一層、アンテナで発生した磁界によってケース本体と裏蓋とを還流する渦電流を抑制することができる。
【００２１】
請求項３に記載の発明によれば、スペーサ部材がケース本体と裏蓋との間を防水するための防水パッキンであることにより、別部品としてのスペーサ部材が不要になり、このため部品点数を削減することができると共に、組立て作業の簡素化を図ることができ、これにより低コスト化を図ることができる。
【００２２】
請求項４に記載の発明によれば、スペーサ部材が裏蓋の外周に沿って部分的に設けられていることにより、請求項２に記載の発明のように、スペーサ部材を裏蓋の全周に沿って連続して設けなくても、部分的に設けられたスペーサ部材によってケース本体と裏蓋とが相互に接触するのを確実に防ぐことができると共に、ケース本体と裏蓋との間に隙間を部分的に設けることができ、これによってもケース本体と裏蓋との間の絶縁もしくは電気抵抗を大きくすることができるので、アンテナで発生した磁界によってケース本体と裏蓋とを還流する渦電流を抑制することができる。
【００２３】
請求項５に記載の発明によれば、リング部材が非金属で形成されていることにより、ケース本体と裏蓋とがリング部材を介して導通するのを防ぐことができ、これによってもケース本体と裏蓋との間の絶縁もしくは電気抵抗を大きくすることができるので、アンテナで発生した磁界によってケース本体と裏蓋とを還流する渦電流を抑制することができる。
【００２４】
請求項６に記載の発明によれば、裏蓋とリング部材との間に絶縁性の補助スペーサ部材が設けられていることにより、リング部材を金属で形成しても、絶縁性の補助スペーサ部材によってケース本体と裏蓋とがリング部材を介して導通するのを防ぐことができ、これによりケース本体と裏蓋との間の絶縁もしくは電気抵抗を大きくすることができるので、これによってもアンテナで発生した磁界によってケース本体と裏蓋とを還流する渦電流を抑制することができる。
【００２５】
請求項７に記載の発明によれば、スペーサ部材が、ケース本体と裏蓋との間、および裏蓋とリング部材との間の両方に跨って設けられていることにより、リング部材を金属で形成しても、スペーサ部材によってケース本体と裏蓋との接触、および裏蓋とリング部材との接触を防ぐことができ、これによりケース本体と裏蓋との間、および裏蓋とリング部材との間の絶縁もしくは電気抵抗を大きくすることができるので、これによってもアンテナで発生した磁界によってケース本体と裏蓋とを還流する渦電流を抑制することができるほか、スペーサ部材がケース本体と裏蓋との間、および裏蓋とリング部材との間の両方に跨って設けられるので、スペーサ部材としての部品点数を最小限に抑えることができ、これにより低コスト化を図ることができる。
【００２６】
請求項８に記載の発明によれば、裏蓋の外周部に鍔部が設けられ、リング部材に鍔部が挿入する段差凹部が設けられていることにより、ケース本体に対するリング部材の螺合面積を大きくすることができ、これによりリング部材によって裏蓋をケース本体に確実に且つ強固に固定することができる共に、裏蓋をケース本体にコンパクトに取り付けることができ、これによりケース全体の小型化をも図ることができる。
【００２７】
請求項９に記載の発明によれば、内部に標準時刻電波を受信するアンテナ、およびこのアンテナで受信した標準時刻電波に基づいて時刻修正をする時計モジュールが収容される金属製のケース本体と、このケース本体の裏面側に取り付けられる金属製の裏蓋と、前記ケース本体の内周面に螺合して前記裏蓋を前記ケース本体に押し付けて固定するリング部材と、前記ケース本体と前記裏蓋との間に介在されてその間の絶縁もしくは電気抵抗を大きくするためのスペーサ部材とを備えているので、請求項１に記載の発明と同様、ケース本体および裏蓋を金属で形成しても、内部に収容されるアンテナの受信感度の低下を防ぐことができる。
【００２８】
請求項１０に記載の発明によれば、裏蓋とリング部材との間に絶縁性の補助スペーサ部材が設けられていることにより、請求項６に記載の発明と同様、リング部材を金属で形成しても、絶縁性の補助スペーサ部材によってケース本体と裏蓋とがリング部材を介して導通するのを防ぐことができ、これによりケース本体と裏蓋との間の絶縁もしくは電気抵抗を大きくすることができるので、これによってもアンテナで発生した磁界によってケース本体と裏蓋とを還流する渦電流を抑制することができる。
【００２９】
請求項１１に記載の発明によれば、金属製のケース本体の内周面に螺合するリング部材によって金属製の裏蓋を前記ケース本体に押え付けて固定する際に、前記ケース本体と前記裏蓋との間にその間の絶縁もしくは電気抵抗を大きくするためのスペーサ部材を設けた時計ケースと、この時計ケースの内部に収容された標準時刻電波を受信するためのアンテナと、前記時計ケースの内部に収容され、前記アンテナで受信した標準時刻電波に基づいて時刻を修正する時計モジュールとを備えた電波時計であることにより、時計ケースが金属製であっても、請求項１または９に記載の発明と同様、内部に収容されたアンテナの受信感度の低下を防ぐことができ、これによりアンテナで受信した標準時刻電波に基づいて時計モジュールの時刻を正確に且つ確実に修正することができる。
【００３０】
請求項１２に記載の発明によれば、裏蓋とリング部材との間に絶縁性の補助スペーサ部材が設けられていることにより、請求項６または１０に記載の発明と同様、リング部材を金属で形成しても、絶縁性の補助スペーサ部材によってケース本体と裏蓋とがリング部材を介して導通するのを防ぐことができ、これによりケース本体と裏蓋との間の絶縁もしくは電気抵抗を大きくすることができるので、これによってもアンテナで発生した磁界によってケース本体と裏蓋とを還流する渦電流を抑制することができる。
【発明を実施するための最良の形態】
【００３１】
（実施形態１）
以下、図１〜図３を参照して、この発明を電波腕時計に適用した実施形態１について説明する。
図１はこの発明の電波腕時計の要部を示した拡大断面図、図２は図１のリング部材を示した平面図、図３は図１の要部を示した拡大断面図である。
この電波時計は、図１に示すように、腕時計ケース１を備えている。
【００３２】
この腕時計ケース１は、図１に示すように、上下に開口されて内部に時計モジュール２を収容するケース本体３と、このケース本体３の上部中央部にパッキン４ａを介して装着された時計ガラス４と、ケース本体３の下部に防水パッキン５を介して取り付けられる裏蓋６と、この裏蓋６をケース本体３に固定するためのリング部材７と、ケース本体３と裏蓋６との間を絶縁するためのスペーサ部材８とを備えている。この場合、ケース本体３には、腕時計ケース１を腕に装着するための時計バンド（図示せず）が取り付けられている。
【００３３】
時計モジュール２は、時刻表示部やＬＳＩなどの時計機能に必要な各種の電子部品を備えているほか、標準時刻電波を受信するアンテナ９を備え、このアンテナ９で受信した標準時刻電波に基づいて時刻を修正するように構成されている。この場合、時刻表示部は、指針を運針させて時刻を指示するアナログムーブメント、または時刻などの情報を電気光学的に表示する平面型の表示素子、あるいはアナログムーブメントと表示素子との双方を備えたものである。
【００３４】
アンテナ９は、バーアンテナであり、アモルファスやフェライトなどの比透磁率が高く、導電率が小さい磁性部材で形成された棒状のコアと、このコアの周囲に銅などの導線を巻き付けたコイルとを備え、電波による磁界中に置かれると、その磁界による磁束が周囲空間よりも比透磁率が高いコアに集中してコイルに鎖交し、このコイルに磁束変化を妨げる向きに磁界を発生させるように誘導起電力が生じる構成になっている。
【００３５】
また、時計モジュール２の回路構成は、回路全般を制御する制御部と、アンテナ９のコイルに発生した誘導起電力を検出して標準時刻のデータを取り出す受信回路と、発信器に基づいて現在時刻を計時する計時回路とを有し、受信回路で取り出された標準時刻データに基づいて制御部が計時回路による計時時刻を修正すると共に、時刻表示部を制御して修正された現在時刻を指示表示するように構成されている。
【００３６】
ところで、ケース本体３は、ステンレスやチタンなどの強度の高い金属で形成されており、このケース本体３の上部外周面には、図１に示すように、装飾用のベゼル１０が取り付けられている。また、このケース本体３の内部における時計ガラス４の下側には、見切り部材１１がケース本体３の内周面に沿って配置されている。また、このケース本体３の下部内周面には、図１に示すように、切欠凹部１２がケース本体３の内周面に沿って連続して設けられており、この切欠凹部１２の内周面には、雌ねじ１３が設けられている。
【００３７】
一方、裏蓋６は、ケース本体３と同様、ステンレスやチタンなどの強度の高い金属でほぼ円板状に形成されている。この場合、裏蓋６は、図１および図３に示すように、その外周部がケース本体３の内周面に沿って設けられた切欠凹部１２に挿入すると共に、この外周部の上部に鍔部１４が外周側に突出して設けられ、この鍔部１４の下側における裏蓋６の外周面とケース本体３の切欠凹部１２の内周面との間にリング形状の隙間が設けられるように構成されている。
【００３８】
リング部材７は、合成樹脂やセラミックなどの非金属からなり、図１〜図３に示すように、全体がリング形状に形成され、その外周面に雄ねじ１５が設けられ、この雄ねじ１５がケース本体３の切欠凹部１２の内周面に設けられた雌ねじ１３に螺合することにより、裏蓋６の外周面とケース本体３の切欠凹部１２の内周面との間に設けられたリング形状の隙間に挿入して、裏蓋６の鍔部１４をケース本体３の切欠凹部１２の下面に押し付けて固定するように構成されている。
【００３９】
この場合、裏蓋６の鍔部１４の上面とケース本体３の切欠凹部１２の下面との間には、図１および図３に示すように、スペーサ部材８と防水パッキン５とが設けられている。スペーサ部材８は、絶縁性を有する平板状のリングであり、裏蓋６の鍔部１４における外周側の上面とケース本体３の切欠凹部１２における外周側の下面との間に配置され、金属製のケース本体３と金属製の裏蓋６との電気的な絶縁を図るように構成されている。
【００４０】
防水パッキン５は、ゴムなどの絶縁性材料からなり、全体がリング形状に形成され、図１および図３に示すように、ケース本体３の切欠凹部１２の下面にリング状に連続して形成された凹溝１６内に配置され、その下端面が裏蓋６の鍔部１４の上面に圧接し、これによりケース本体３と裏蓋６との間の防水を図るように構成されている。この場合、裏蓋６の鍔部１４の上面とケース本体３の切欠凹部１２の下面とは、防水リング５およびスペーサ部材８によって、相互に接触しないようになっている。
【００４１】
このような腕時計ケース１によれば、内部にアンテナ９が収容される金属製のケース本体３の内周面にリング部材７を螺合させることにより、金属製の裏蓋６の鍔部１４を金属製のケース本体３における切欠凹部１２の下面に押し付けて固定する際に、ケース本体３の切欠凹部１２の下面と裏蓋６の鍔部１４の上面との間にスペーサ部材８を設けてケース本体３と裏蓋３との間の絶縁を図っているので、ケース本体３内のアンテナ９が電波を受信して磁界を発生するときに、アンテナ９で発生した磁界がケース本体３および裏蓋６を通過することによって発生する渦電流、つまりケース本体３と裏蓋６とを還流する渦電流を抑制することができ、これによりケース本体３および裏蓋６を金属で形成しても、内部に収容されるアンテナ９の受信感度の低下を防ぐことができる。
【００４２】
この場合、リング部材７は合成樹脂やセラミックなどの非金属で形成されていることにより、金属製のケース本体３と金属製の裏蓋６とがリング部材７を介して導通するのを防ぐことができ、これによりケース本体３と裏蓋６との間を確実に絶縁することができるので、これによってもアンテナ９に発生した磁界によってケース本体３と裏蓋６とを還流する渦電流を抑制することができる。また、裏蓋６の外周部に鍔部１４が設けられ、ケース本体３に鍔部１４を含む裏蓋６の外周部分が挿入する切欠凹部１２が設けられていることにより、リング部材７によって裏蓋６の鍔部１４をケース本体３の切欠凹部１２の下面に確実に押し付けて固定することができる共に、裏蓋６をケース本体３にコンパクトに取り付けることができ、これによりケース全体の小型化をも図ることができる。
【００４３】
なお、上記実施形態１では、裏蓋６とケース本体３との間にスペーサ部材８を設けた場合について述べたが、これに限らず、例えば図４に示す変形例のように、防水パッキン５によって裏蓋６の鍔部１４の上面とケース本体３の切欠凹部１２の下面とが相互に接触しないように、裏蓋６の鍔部１４の上面とケース本体３の切欠凹部１２の下面との間に隙間を設けて絶縁を図るように構成しても良い。このように構成すれば、防水パッキン５がスペーサ部材８としての絶縁機能をも兼ね備えることができるので、別部品としてのスペーサ部材８が不要になり、部品点数を削減することができると共に、組立て作業の簡素化を図ることができ、これにより低コスト化を図ることができる。
【００４４】
（実施形態２）
次に、図５を参照して、この発明を適用した電波腕時計の実施形態２について説明する。なお、図１〜図３に示された実施形態１と同一部分には同一符号を付して説明する。
この電波腕時計の腕時計ケース２０は、リング部材２１を金属で形成し、このリング部材２１と裏蓋６との間に絶縁性を有する補助スペーサ部材２２を設けた構成で、これ以外は実施形態１と同じ構成なっている。
【００４５】
すなわち、リング部材２１は、ケース本体３および裏蓋６と同様、ステンレスやチタンなどの強度の高い金属からなり、全体がリング形状に形成され、その外周面に雄ねじ１５が設けられ、この雄ねじ１５がケース本体３の切欠凹部１２の内周面に設けられた雌ねじ１３に螺合することにより、図５に示すように、リング部材２１の内周面が裏蓋６の外周面に接触することがなく、裏蓋６の外周面とケース本体３の切欠凹部１２の内周面との間に設けられたリング形状の隙間に挿入し、これにより裏蓋６の鍔部１４をケース本体３の切欠凹部１２の下面に押し付けて固定するように構成されている。
【００４６】
補助スペーサ部材２２は、図５に示すように、絶縁性を有する平板状のリングであり、リング部材２１の上面と裏蓋６の鍔部１４の下面との間に配置され、金属製のリング部材２１と金属製の裏蓋６との電気的な絶縁を図るように構成されている。なお、この場合にも、裏蓋６の鍔部１４の上面とケース本体３の切欠凹部１２の下面との間には、図５に示すように、スペーサ部材８と防水パッキン５とが設けられている。スペーサ部材８は、金属製のケース本体３と金属製の裏蓋６との電気的な絶縁を図り、また防水パッキン５は、ケース本体３と裏蓋６との間の防水を図っている。
【００４７】
このような腕時計ケース２０においても、実施形態１と同様、ケース本体３の切欠凹部１２の下面と裏蓋６の鍔部１４の上面との間にスペーサ部材８が設けられているほか、特に裏蓋６の鍔部１４の下面とリング部材２１の上面との間に絶縁性の補助スペーサ部材２２が設けられているので、リング部材２１を金属で形成しても、絶縁性の補助スペーサ部材２２によってケース本体３と裏蓋６とがリング部材２１を介して導通するのを防ぐことができ、これによってもアンテナ９に発生した磁界によってケース本体３と裏蓋６とを還流する渦電流を抑制することができるので、ケース本体３、裏蓋６、およびリング部材２１を全て金属で形成しても、内部に収容されるアンテナ９の受信感度の低下を防ぐことができる。
【００４８】
なお、上記実施形態２では、裏蓋６とケース本体３との間にスペーサ部材８を設けた場合について述べたが、これに限らず、例えば図６に示す第１変形例のように、防水パッキン５によって裏蓋６の鍔部１４の上面とケース本体３の切欠凹部１２の下面とが相互に接触しないように、裏蓋６の鍔部１４の上面とケース本体３の切欠凹部１２の下面との間に隙間を設けて絶縁を図るようにしても良い。
【００４９】
また、図７に示す第２変形例のように、防水パッキン２４を平板状のリング形状に形成して裏蓋６とケース本体３との間に配置することにより、裏蓋６の鍔部１４の上面とケース本体３の切欠凹部１２の下面とが相互に接触しないように、裏蓋６の鍔部１４の上面とケース本体３の切欠凹部１２の下面との間に隙間を設けて絶縁を図るようにしても良い。
【００５０】
このような第１、第２変形例においても、実施形態２と同様の作用効果があるほか、特に図４に示した実施形態１の変形例と同様、防水パッキン５または２４がスペーサ部材８としての絶縁機能をも兼ね備えることができるので、別部品としてのスペーサ部材８が不要になり、部品点数を削減することができると共に、組立て作業の簡素化を図ることができ、これにより低コスト化を図ることができる。
【００５１】
（実施形態３）
次に、図８を参照して、この発明を適用した電波腕時計の実施形態３について説明する。この場合には、図５に示された実施形態２と同一部分に同一符号を付して説明する。
この電波腕時計の腕時計ケース３０は、リング部材３１を金属で形成し、このリング部材３１に裏蓋６の鍔部１４が挿入する段差凹部３２を設けた構成で、これ以外は実施形態２とほぼ同じ構成なっている。
【００５２】
すなわち、このリング部材３１は、実施形態２と同様、ステンレスやチタンなどの強度の高い金属からなり、全体がリング形状に形成されている。この場合、リング部材３１は、その高さがケース本体３の切欠凹部１２の深さ、つまり裏蓋６の下面から鍔部１４の上面までの高さと同じ大きさに形成されている。このリング部材３１の外周面には、雄ねじ１５が設けられていると共に、リング部材３１の内周面には、図８に示すように、裏蓋６の鍔部１４が挿入する段差凹部３２がリング部材３１の全周に沿って設けられている。
【００５３】
これにより、リング部材３１は、雄ねじ１５がケース本体３の切欠凹部１２の内周面に設けられた雌ねじ１３に螺合することにより、図８に示すように、リング部材３１の内周面が裏蓋６の外周面に接触することがなく、しかもリング部材３１の段差凹部３２の内周面が裏蓋６の鍔部１４の外周面にも接触することがなく、この状態で裏蓋６の外周面とケース本体３の切欠凹部１２の内周面との間に設けられたリング形状の隙間に挿入し、これによりリング部材３１の段差凹部３２の上面が裏蓋６の鍔部１４をケース本体３の切欠凹部１２の下面に押し付けて固定するように構成されている。
【００５４】
この場合にも、リング部材３１の段差凹部３２の上面と裏蓋６の鍔部１４の下面との間には、絶縁性を有する補助スペーサ部材２２が配置されており、裏蓋６の鍔部１４の上面とケース本体３の切欠凹部１２の下面との間には、スペーサ部材８と防水パッキン５とが設けられている。補助スペーサ部材２２は、リング部材３１と裏蓋６との電気的な絶縁を図り、またスペーサ部材８は、金属製のケース本体３と金属製の裏蓋６との電気的な絶縁を図り、さらに防水パッキン５は、ケース本体３と裏蓋６との間の防水を図っている。
【００５５】
このような腕時計ケース３０においても、実施形態２と同様、ケース本体３と裏蓋６との間にスペーサ部材８が設けられているほか、裏蓋６とリング部材２１との間に絶縁性の補助スペーサ部材２２が設けられているので、実施形態２と同様、アンテナ９で発生した磁界がケース本体３および裏蓋６を通過することによって発生する渦電流、つまりケース本体３と裏蓋６とを還流する渦電流を抑制することができ、これによりケース本体３、裏蓋６、およびリング部材３１を全て金属で形成しても、内部に収容されるアンテナ９の受信感度の低下を防ぐことができる。
【００５６】
特に、この腕時計ケース３０では、リング部材３１がケース本体３の切欠凹部１２の深さと同じ高さで形成され、このリング部材３１に裏蓋６の鍔部１４が挿入する段差凹部３２を設けているので、リング部材３１の外周面に雄ねじ１５を十分に長く形成することができ、これによりケース本体３に対するリング部材３１の螺合面積を大きくすることができるので、リング部材３１によって裏蓋６をケース本体３に確実に且つ強固に固定することができると共に、裏蓋６をケース本体３にコンパクトに取り付けることができ、これによりケース全体の小型化をも図ることができる。
【００５７】
なお、上記実施形態１〜３およびその各変形例では、スペーサ部材８および補助スペーサ部材２２が裏蓋６の外周に沿って連続するリング形状に形成されている場合について述べたが、これに限らず、例えばスペーサ部材８および補助スペーサ部材２２を裏蓋６の外周に沿って部分的に設けた構成でも良い。このようにスペーサ部材８および補助スペーサ部材２２を部分的に設けた構成であっても、ケース本体３と裏蓋６との相互の接触、および裏蓋６とリング部材２１、３１との相互の接触を防いで、ケース本体３と裏蓋６との間、および裏蓋６とリング部材２１、３１との間に隙間を部分的に設けることができ、これによりケース本体３と裏蓋６との間、および裏蓋６とリング部材２１、３１との間の絶縁を図ることができる。
【００５８】
（実施形態４）
次に、図９を参照して、この発明を適用した電波腕時計の実施形態４について説明する。この場合にも、図５に示された実施形態２と同一部分に同一符号を付して説明する。
この電波腕時計の腕時計ケース４０は、裏蓋６の鍔部１４の先端外周部に絶縁性を有するスペーサ部材４１を設けた構成で、これ以外は実施形態２とほぼ同じ構成なっている。
【００５９】
すなわち、このスペーサ部材４１は、絶縁性材料からなり、図９に示すように、全体がリング形状に形成されていると共に、断面形状がほぼコ字状に形成されている。この場合、スペーサ部材４１は、その内周面に取付凹部４２が設けられ、この取付凹部４２に裏蓋６の鍔部１４の先端外周面に設けられた嵌合突起４３が嵌合し、これにより裏蓋６の鍔部１４の先端外周部に取り付けられている。また、このスペーサ部材４１は、その上下方向の厚みが裏蓋６の鍔部１４の厚みとほぼ同じに形成されていると共に、その上下面に突起部４４がそれぞれ設けられている。
【００６０】
これにより、スペーサ部材４１は、リング部材２１の雄ねじ１５がケース本体３の切欠凹部１２の内周面に設けられた雌ねじ１３に螺合すると、図９に示すように、リング部材２１の内周面が裏蓋６の外周面に接触することがなく、裏蓋６の外周面とケース本体３の切欠凹部１２の内周面との間に設けられたリング形状の隙間に挿入し、これによりリング部材２１の上面がスペーサ部材４１を介して裏蓋６の鍔部１４をケース本体３の切欠凹部１２の下面に押し付けて固定するように構成されている。
【００６１】
このときには、スペーサ部材４１の上面に設けられた突起部４４によって裏蓋６の鍔部１４の上面とケース本体３の切欠凹部１２の下面とが接触しないように、その両者の間に隙間が設けられると共に、スペーサ部材４１の下面に設けられた突起部４４によって裏蓋６の鍔部１４の下面とリング部材２１の上面とが接触しないように、その両者の間に隙間が設けられる。この場合にも、裏蓋６の鍔部１４の上面とケース本体３の切欠凹部１２の下面との間には、ケース本体３と裏蓋６との間の防水を図る防水パッキン５が設けられている。
【００６２】
このような腕時計ケース４０においても、ケース本体３と裏蓋６との間、および裏蓋６とリング部材２１との間の両方に跨って絶縁性のスペーサ部材４１が設けられているので、実施形態２と同様、ケース本体３と裏蓋６との間、および裏蓋６とリング部材２１との間の両方の絶縁を図ることができ、これによりアンテナ９で発生した磁界がケース本体３および裏蓋６を通過することによって発生する渦電流、つまりケース本体３と裏蓋６とを還流する渦電流を抑制することができるので、ケース本体３、裏蓋６、およびリング部材２１を金属で形成しても、内部に収容されるアンテナ９の受信感度の低下を防ぐことができる。
【００６３】
特に、この腕時計ケース４０では、裏蓋６の鍔部１４の外周に取り付けられたスペーサ部材４１が、ケース本体３と裏蓋６との間、および裏蓋６とリング部材２１との間の両方に跨って設けられているので、リング部材２１を金属で形成しても、スペーサ部材４１によってケース本体３と裏蓋６とがリング部材２１を介して導通するのを防ぐことができ、これによってもアンテナ９に発生した磁界によってケース本体３と裏蓋６とを還流する渦電流を抑制することができるほか、スペーサ部材としての部品点数を最小限に抑えることができ、これにより低コスト化を図ることができる。
【００６４】
（実施形態５）
次に、図１０を参照して、この発明を適用した電波腕時計の実施形態５について説明する。この場合にも、図５に示された実施形態２と同一部分に同一符号を付して説明する。
この電波腕時計の腕時計ケース５０は、ケース本体３の切欠凹部１２の下面にスペーサ部材５１を設け、このスペーサ部材５１が裏蓋６の鍔部１４に設けられた貫通孔５２を通して鍔部１４の下側に突出し、この突出した先端部がリング部材２１の上面に当接する構成で、これ以外は実施形態２とほぼ同じ構成なっている。
【００６５】
すなわち、ケース本体３の切欠凹部１２の内面には、図１０に示すように、スペーサ部材５１が装着する装着溝５３がケース本体３の内周面に沿って連続して設けられている。スペーサ部材５１は、ケース本体３の装着溝５３に装着するリング形状に形成されており、その下面には、複数の突起部５４が下方に突出して設けられている。この場合、裏蓋６の鍔部１４には、図１０に示すように、スペーサ部材５１の複数の突起部５４がそれぞれ挿入する複数の貫通孔５２が設けられている。
【００６６】
これにより、スペーサ部材５１は、リング部材２１の雄ねじ１５がケース本体３の切欠凹部１２の内周面に設けられた雌ねじ１３に螺合すると、図１０に示すように、リング部材２１の内周面が裏蓋６の外周面に接触することがなく、裏蓋６の外周面とケース本体３の切欠凹部１２の内周面との間に設けられたリング形状の隙間に挿入し、これによりリング部材２１の上面がスペーサ部材５１の複数の突起部５４をケース本体３の装着溝５３内に押し付けることにより、裏蓋６の鍔部１４をケース本体３の切欠凹部１２の下面に固定するように構成されている。
【００６７】
このときには、スペーサ部材５１によって裏蓋６の鍔部１４の上面とケース本体３の切欠凹部１２の下面との接触を防ぐと共に、スペーサ部材５１の下面に設けられた突起部５４が裏蓋６の鍔部１４に設けられた貫通孔５２に挿入して下面側に突出し、この突出した突起部５４の下端部によって裏蓋６の鍔部１４の下面とリング部材２１の上面とが接触しないように、その両者の間に隙間が設けられる。この場合にも、裏蓋６の鍔部１４の上面とケース本体３の切欠凹部１２の下面との間には、ケース本体３と裏蓋６との間の防水を図る防水パッキン５が設けられている。
【００６８】
このような腕時計ケース５０においても、ケース本体３と裏蓋６との間に絶縁性のスペーサ部材５１が設けられ、裏蓋６とリング部材２１との間にスペーサ部材５１の複数の突起部５４が設けられているので、実施形態２と同様、ケース本体３と裏蓋６との間を絶縁することができ、これによりアンテナ９で発生した磁界がケース本体３および裏蓋６を通過することによって発生する渦電流、つまりケース本体３と裏蓋６とを還流する渦電流を抑制することができるので、ケース本体３、裏蓋６、およびリング部材２１を金属で形成しても、内部に収容されるアンテナ９の受信感度の低下を防ぐことができる。
【００６９】
特に、この腕時計ケース５０では、ケース本体３の切欠凹部１２の内面に取り付けられたスペーサ部材５１が、ケース本体３と裏蓋６との間に設けられていると共に、このスペーサ部材５１の複数の突起部５４が裏蓋６の鍔部１４の貫通孔５２に挿入して下方に突出し、この突出した突起部５４の下端部によって裏蓋６とリング部材２１との間に設けられているので、スペーサ部材５１をケース本体３と裏蓋６との間、および裏蓋６とリング部材２１との間の両方に跨って設けることができ、これによりリング部材２１を金属で形成しても、スペーサ部材５１によってケース本体３と裏蓋６とがリング部材２１を介して導通するのを防ぐことができると共に、実施形態４と同様、スペーサ部材としての部品点数を最小限に抑えることができ、低コスト化を図ることができる。
【００７０】
（実施形態６）
次に、図１１を参照して、この発明を適用した電波腕時計の実施形態６について説明する。この場合にも、図５に示された実施形態２と同一部分に同一符号を付して説明する。
この電波腕時計の腕時計ケース６０は、裏蓋６の鍔部１４の複数個所にスペーサ部材６１をそれぞれ上下に突出させて設け、このスペーサ部材６１の上端部をケース本体３の切欠凹部１２の下面に当接させ、スペーサ部材６１の下端部をリング部材２１の上面に当接させた構成で、これ以外は実施形態２とほぼ同じ構成なっている。
【００７１】
この場合、裏蓋６の鍔部１４における複数箇所には、上下に貫通する貫通孔６２がそれぞれ設けられている。スペーサ部材６１は、絶縁性材料からなり、図１１に示すように、それぞれビス形状に形成され、裏蓋６の鍔部１４の複数個所に設けられた貫通孔６２に挿入されて上下に突出して設けられ、これにより上端部がケース本体３の切欠凹部１２の下面に当接して、ケース本体３の切欠凹部１２の下面と裏蓋６の鍔部１４の上面との間に隙間を形成し、下端部がリング部材２１の上面に当接して、リング部材２１の上面と裏蓋６の鍔部１４の下面との間に隙間を形成するように構成されている。
【００７２】
このような腕時計ケース６０においても、ケース本体３と裏蓋６との間、および裏蓋６とリング部材２１との間の両方に絶縁性のスペーサ部材６１が設けられているので、実施形態２と同様、スペーサ部材６１によってケース本体３と裏蓋６との間、および裏蓋６とリング部材２１との間の両方の絶縁を図ることができる。このため、アンテナ９で発生した磁界がケース本体３および裏蓋６を通過することによって発生する渦電流、つまりケース本体３と裏蓋６とを還流する渦電流を抑制することができ、これによりケース本体３、裏蓋６、およびリング部材３１を全て金属で形成しても、内部に収容されるアンテナ９の受信感度の低下を防ぐことができる。
【００７３】
特に、この腕時計ケース６０では、裏蓋６の鍔部１４の複数個所にスペーサ部材６１をそれぞれ上下に突出させて設け、このスペーサ部材６１の上端部をケース本体３の切欠凹部１２の下面に当接させ、スペーサ部材６１の下端部をリング部材２１の上面に当接させたので、リング部材２１を金属で形成しても、スペーサ部材６１によってケース本体３と裏蓋６とがリング部材２１を介して導通するのを防ぐことができ、これによってもアンテナ９に発生した磁界によってケース本体３と裏蓋６とを還流する渦電流を確実に抑制することができる。
【００７４】
なお、上記実施形態１〜６およびその各変形例では、スペーサ部材８、４１、５１、６１を絶縁性材料で形成した場合について述べたが、必ずしも絶縁性材料で形成する必要はなく、例えば電気抵抗の大きい材料で形成すると共に、ケース本体３と裏蓋６とに接触する面積を小さくすることにより、ケース本体３と裏蓋６との間の電気抵抗を大きくし、これによりアンテナ９で発生した磁界がケース本体３および裏蓋６を通過することによって発生する渦電流、つまりケース本体３と裏蓋６とを還流する渦電流を抑制するように構成しても良い。
【００７５】
また、上記実施形態１〜６およびその各変形例では、腕時計に適用した場合について述べたが、必ずしも腕時計である必要はなく、トラベルウオッチ、目覚まし時計、置き時計、掛け時計などの各種の時計に適用することができるほか、これに限らず、携帯電話機、携帯情報端末機などの電子機器にも適用することができる。
【図面の簡単な説明】
【００７６】
【図１】この発明を適用した電波腕時計の要部を示した拡大断面図である。（実施形態１）
【図２】図１のリング部材を示した平面図である。
【図３】図１の要部を示した拡大断面図である。
【図４】この発明の実施形態１の変形例を示した要部の拡大断面図である。
【図５】この発明を適用した電波腕時計における要部の拡大断面図である。（実施形態２）
【図６】この発明の実施形態２の第１変形例を示した要部の拡大断面図である。
【図７】この発明の実施形態２の第２変形例を示した要部の拡大断面図である。
【図８】この発明を適用した電波腕時計における要部の拡大断面図である。（実施形態３）
【図９】この発明を適用した電波腕時計における要部の拡大断面図である。（実施形態４）
【図１０】この発明を適用した電波腕時計における要部の拡大断面図である。（実施形態５）
【図１１】この発明を適用した電波腕時計における要部の拡大断面図である。（実施形態６）
【符号の説明】
【００７７】
１、２０、３０、４０、５０、６０  腕時計ケース
２  時計モジュール
３  ケース本体
４  時計ガラス
５、２４  防水パッキン
６  裏蓋
７、２１、３１  リング部材
８、４１、５１、６１  スペーサ部材
９  アンテナ
１２  切欠凹部
１３  雌ねじ
１４  鍔部
１５  雄ねじ
２２  補助スペーサ部材
３２  段差凹部
４４、５４  突起部
【図１】
2008032446.tif 000003
【図２】
2008032446.tif 000004
【図３】
2008032446.tif 000005
【図４】
2008032446.tif 000006
【図５】
2008032446.tif 000007
【図６】
2008032446.tif 000008
【図７】
2008032446.tif 000009
【図８】
2008032446.tif 000010
【図９】
2008032446.tif 000011
【図１０】
2008032446.tif 000012
【図１１】
2008032446.tif 000013